(57)【要約】【課題】書き換え可能な光ディスクの物理的な破壊が発生する前に事前に察知することができる光ディスク記録再生装置を提供する。【解決手段】装填された当該光ディスクが書き換え可能な光ディスクであると判定され、当該光ディスクに対して情報の書き込みが実行されている時に、当該光ディスクの既記録領域からの読取信号であるＲＦ信号のジッタが検出されると共に、デジタル信号処理部でのブロックエラー発生率が検出される。前記検出されたジッタまたは／およびブロックエラー発生率を参照して当該光ディスクの時間変化による記録特性が確認される。記録特性が基準値を超えていると判定された場合は、当該光ディスクは破壊される畏れがあることをユーザに警告するメッセージを例えばディスプレイ装置に表示させる。このようなメッセージにより、ユーザは、当該光ディスクはこれ以上書き換えすることができないことが分かる。【選択図】図５
2007213646.tif 000002
【特許請求の範囲】
【請求項１】
光ディスクに対して情報の記録／再生を行う光ディスク記録再生装置において、
装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタを検出するジッタ検出手段と、
前記ＲＦ信号をデジタルデータに変換した後に当該光ディスクのデータフォーマットに応じた信号復調処理とエラー訂正処理を行うデジタル信号処理部でのブロックエラー発生率を検出するブロックエラー発生率検出手段と、
前記検出されたジッタまたは／およびブロックエラー発生率を参照して当該光ディスクの時間変化による記録特性を確認する記録特性確認手段と、
前記確認された記録特性が予め定めた基準値を超えたか否かを判定する記録特性判定手段と、
前記確認された記録特性が予め定めた基準値を超えたと判定された場合に、当該光ディスクは破壊される畏れがあることを警告するメッセージを表示手段および／または音声出力手段に出力させるメッセージ出力手段と、を有するシステムコントローラを備えたことを特徴とする光ディスク記録再生装置。
【請求項２】
光ディスクに対して情報の記録／再生を行う光ディスク記録再生装置において、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタの検出、および前記ＲＦ信号をデジタルデータに変換した後に当該光ディスクのデータフォーマットに応じた信号復調処理とエラー訂正処理を行うデジタル信号処理部でのブロックエラー発生率の検出を行い、前記検出されたジッタまたは／およびブロックエラー発生率を参照して当該光ディスクの時間変化による記録特性を確認し、前記確認された記録特性が予め定めた基準値を超えたと判定された場合に、当該光ディスクは破壊される畏れがあることを警告するメッセージを表示手段および／または音声出力手段に出力させるシステムコントローラを備えたことを特徴とする光ディスク記録再生装置。
【請求項３】
前記システムコントローラは、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタを検出するジッタ検出手段と、前記ＲＦ信号をデジタルデータに変換した後に当該光ディスクのデータフォーマットに応じた信号復調処理とエラー訂正処理を行うデジタル信号処理部でのブロックエラー発生率を検出するブロックエラー発生率検出手段と、前記検出されたジッタまたは／およびブロックエラー発生率を参照して当該光ディスクの時間変化による記録特性を確認する記録特性確認手段と、前記確認された記録特性が予め定めた基準値を超えたか否かを判定する記録特性判定手段と、前記確認された記録特性が予め定めた基準値を超えたと判定された場合に、当該光ディスクは破壊される畏れがあることを警告するメッセージを表示手段および／または音声出力手段に出力させるメッセージ出力手段とを有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し、特に、光ディスクの品質を調べるための処理に関する。
【背景技術】
【０００２】
近年、映画等のような大量の映像音声データなどの情報を記録することができる光ディスクであるＤＶＤ（デジタル・バーサタイル・ディスク）が普及しつつある。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、ＤＶＤ−ＲＡＭへの情報の記録は、光ディスク記録再生装置（ＤＶＤレコーダ）で可能である。
【０００３】
ところで、ＤＶＤ−ＲＷやＤＶＤ＋ＲＷあるいはＤＶＤ−ＲＡＭなどの書き換え可能な光ディスクでは、情報の書き換えを繰り返すと、媒質材料自体の特性劣化やトラッキングずれなど種々の原因により残存成分が増加し、結果として記録品質の低下を招くことになる。書き換え可能な光ディスクでは、アモルファスと結晶の状態変化を用いた相変化記録方式が採用されているので、材料自体の記録特性劣化により、明らかに書き換え回数に限界がある。この書き換え回数の限界を超えたこと、あるいはその限界に近いことを知らずに書き換え動作を行うと、当該セクタのＳＮ比の大幅な低下や隣接トラックへのクロストークの増加などにより、記録品質の低下を引き起こす。
【特許文献１】特開２００５−１５８１４０号公報
【特許文献２】特開平７−１３０１０６号公報
【特許文献３】特開平７−１３０１０７号公報
【特許文献４】特開平１１−１６７７７３号公報
【特許文献５】特開平２−２３０５６３号公報
【発明の開示】
【発明が解決しようとする課題】
【０００４】
書き換え可能な光ディスクは、繰り返し記録を行う時には、ＤＯＷ（ Direct Over Write ）（直接レーザ光を照射して上書きすること）により行われており、ＤＶＤ＋ＲＷやＤＶＤ−ＲＷあるいはＤＶＤ−ＲＡＭの光ディスクでは、規格上１０００回のＤＯＷが保証されているが、この書き換え回数の限界を超えたこと、あるいはその限界に近いことを知らずに書き換え動作を行うと、当該セクタのＳＮ比の大幅な低下や隣接トラックへのクロストークの増加などにより、記録品質の低下を引き起こすだけでなく、記録状況に応じて１０００回に達する前に、光ディスクが物理的に破壊してしまうことがある。この物理的に破壊される要因は、ディスク構造、ディスク材質、記録時のレーザ光のパワーなどによるものである。特に、記録時のレーザ光のパワーを強くすると、光ディスクは早く破壊されることになる。
【０００５】
しかしながら、従来の光ディスク記録再生装置では、このような書き換え可能な光ディスクが装填され、この光ディスクに対して情報が記録されるが、その情報はデジタル情報として光ディスクに記録されるので、光ディスクが物理的破壊を起こす直前までは、再生映像には劣化などが発生せず、このためユーザ側でディスク状態を判断するのは困難であると言う課題があった。
【０００６】
なお、特許文献１の従来技術では、ピックアップ（光ピックアップ）がディスク（光ディスク）を読み込むことで再生信号を生成し、この再生信号をリードアンプ（ＲＦアンプ）で増幅する。そして、増幅された再生信号と、サーボ制御部からの制御状態からディスクの品質状態を測定して測定結果を得ている。コントローラは、測定結果と予め決められた各品質毎の閾値とを比較し、測定結果が閾値を超過する場合は、その旨を表示部に表示させ、これにより、ユーザが再生装置に対するディスクの品質の簡易判断を可能にしている。
【０００７】
しかしながら、この従来技術は、再生時にディスクの品質を判断することができるようにしているが、記録時にディスクの品質の結果を測定して表示部に表示させる具体的な構成が開示されていない。したがって、この従来技術は、書き換え可能な光ディスクが装填されて、この光ディスクに対する情報の記録時において光ディスクが物理的破壊を引き起こす場合に対処することができないので、光ディスクが物理的破壊を起こす直前までは、再生映像には劣化などが発生せず、このためユーザ側でディスク状態を判断するのは困難であると言う課題を解決することができない。
【０００８】
特許文献２の従来技術は、再生エラー率を記録手段によって試験領域に書き込むと共に、試験領域に書き込まれた再生エラー率を再生手段によって読み取る再生エラー率管理手段と、記録再生試験の前後の再生エラー率の差異に基づき異常の報告または記録回路パラメータおよび再生回路パラメータの変更を行う記録再生制御手段と備えることにより、再生エラー率の増加に関わる異常原因が、装置であるか、媒体であるかを判別することができるようになるが、その媒体が書き換え可能な光ディスクであった場合、書き換え回数の増加に従って記録特性が悪くなって行き、記録時において光ディスクが物理的破壊を引き起こす場合があっても、それに対処することができないので、光ディスクが物理的破壊を起こす直前までは、再生映像には劣化などが発生せず、このためユーザ側でディスク状態を判断するのは困難であると言う課題を解決することができない。
【０００９】
特許文献３の従来技術は、エラー検出訂正符号が付与されたブロック単位でデジタル信号が記録されているディスクの品質を検査する際、回転駆動されるディスクに対し所定角度光軸を傾けた状態でレーザ光を照射してディスクに記録されているデジタル信号を再生するとともに、再生されたデジタル信号を復調し、エラー検出訂正符号を用いてエラーを検出するとともに、単位時間当りのエラー個数を積算し、この積算結果に基づいてディスクの良否を判別するようにしている。
【００１０】
しかしながら、この従来技術は、生産された高密度記録ディスクの内のディスク反りマージンの小さいディスクの判別を容易に且つ確実に行うことを可能にしているが、光ディスク記録再生装置に書き換え可能な光ディスクが装填されて、この光ディスクに対する情報の記録時において光ディスクが物理的破壊を引き起こす場合に対処することができないので、光ディスクが物理的破壊を起こす直前までは、再生映像には劣化などが発生せず、このためユーザ側でディスク状態を判断するのは困難であると言う課題を解決することができない。
【００１１】
特許文献４の従来技術は、光ディスクからの読み出しデータ信号のジッタ量を検出して所定閾値と比較し、所定閾値を超えれば、記録媒体に疲労がある旨を上位ＣＰＵに通知し、新たなセクタにデータを記録させることにより、光ディスクの記録可能領域を無駄なく利用するようにしている。
【００１２】
しかしながら、この従来技術は、光ディスクに疲労があれば、光ディスクの新たなセクタにデータを記録させるようにしているが、既にデータが記録されているセクタに上書きして書き換えを何回も行ってセクタが物理的な破壊を引き起こすものに対する対策は開示されていないので、光ディスクが物理的破壊を起こす直前までは、再生映像には劣化などが発生せず、このためユーザ側でディスク状態を判断するのは困難であると言う上記課題を解決できるものではない。
【００１３】
特許文献５の従来技術では、ＣＤ再生によって得られたエラーレートを過去のエラーレートと比較することによってディスクの劣化度を判定し、判定結果を表示部にて報知するようにしているが、ここで扱っている光ディスクは読み出し専用のＣＤであり、書き換え可能な光ディスクに対する処理に関するものではない。
【００１４】
本発明は、上記のような課題を解決するためになされたもので、書き換え可能な光ディスクの物理的な破壊が発生する前に事前に察知することができる光ディスク記録再生装置を提供することを目的とする。
【課題を解決するための手段】
【００１５】
上記目的を達成するために、請求項１の発明は、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタを検出するジッタ検出手段と、前記ＲＦ信号をデジタルデータに変換した後に当該光ディスクのデータフォーマットに応じた信号復調処理とエラー訂正処理を行うデジタル信号処理部でのブロックエラー発生率を検出するブロックエラー発生率検出手段と、前記検出されたジッタまたは／およびブロックエラー発生率を参照して当該光ディスクの時間変化による記録特性を確認する記録特性確認手段と、前記確認された記録特性が予め定めた基準値を超えたか否かを判定する記録特性判定手段と、前記確認された記録特性が予め定めた基準値を超えたと判定された場合に、当該光ディスクは破壊される畏れがあることを警告するメッセージを表示手段および／または音声出力手段に出力させるメッセージ出力手段と、を有するシステムコントローラを備えたことを特徴とする光ディスク記録再生装置を提供する。
【００１６】
この構成において、装填された当該光ディスクが書き換え可能な光ディスクであると判定され、当該光ディスクに対して情報の書き込みが光ピックアップにより実行され、この時に、当該光ディスクの既記録領域の情報が光ピックアップにより読み出される。ジッタ検出手段は、当該光ディスクの既記録領域の情報を読み出した光ピックアップからの読取信号であるＲＦ信号のジッタを検出すると共に、ブロックエラー発生率検出手段は、デジタル信号処理部でのブロックエラー発生率を検出する。
【００１７】
次に、記録特性確認手段は、前記検出されたジッタまたは／およびブロックエラー発生率を参照して当該光ディスクの時間変化による記録特性を確認する。この後、記録特性判定手段は、前記確認された記録特性が予め定めた基準値を超えたか否かを判定する。ジッタの時間変化による記録特性が基準値を超えていると、または／およびブロックエラー発生率の時間変化による記録特性が基準値を超えていると判定された場合は、メッセージ出力手段は、当該光ディスクは破壊される畏れがあることをユーザに警告するメッセージを例えばディスプレイ装置に表示させる。このようなメッセージの表示により、ユーザは、当該光ディスクは、これ以上書き換えすることができないことが分かる。
【００１８】
ＤＶＤ−ＲＷやＤＶＤ＋ＲＷあるいはＤＶＤ−ＲＡＭなどの書き換え可能な光ディスクでは、繰り返し記録することが可能であるが、光ピックアップから出射されるレーザ光の記録時のパワーが高すぎたり、繰り返し記録を行ったりすることで、光ディスクの状態が悪化し、最終的には光ディスクが物理的破壊を引き起こし、記録・再生ができなくなってしまうが、この構成によれば、光ディスクに物理的破壊が発生する前に、光ディスクの状態を事前に察知することができ、記録時の貴重な情報の喪失を防ぐことが可能になる。
【００１９】
請求項２の発明は、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタの検出、および前記ＲＦ信号をデジタルデータに変換した後に当該光ディスクのデータフォーマットに応じた信号復調処理とエラー訂正処理を行うデジタル信号処理部でのブロックエラー発生率の検出を行い、前記検出されたジッタまたは／およびブロックエラー発生率を参照して当該光ディスクの時間変化による記録特性を確認し、前記確認された記録特性が予め定めた基準値を超えたと判定された場合に、当該光ディスクは破壊される畏れがあることを警告するメッセージを表示手段および／または音声出力手段に出力させるシステムコントローラを備えたことを特徴とする光ディスク記録再生装置を提供する。
【００２０】
この構成において、装填された当該光ディスクが書き換え可能な光ディスクであると判定され、当該光ディスクに対して情報の書き込みが光ピックアップにより実行され、この時に、当該光ディスクの既記録領域の情報が光ピックアップにより読み出される。そして、当該光ディスクの既記録領域の情報を読み出した光ピックアップからの読取信号であるＲＦ信号のジッタが検出されると共に、デジタル信号処理部でのブロックエラー発生率が検出される。
【００２１】
次に、前記検出されたジッタまたは／およびブロックエラー発生率を参照して当該光ディスクの時間変化による記録特性が確認される。この後、ジッタの時間変化による記録特性が基準値を超えていると、または／およびブロックエラー発生率の時間変化による記録特性が基準値を超えていると判定された場合は、当該光ディスクは破壊される畏れがあることをユーザに警告するメッセージを例えばディスプレイ装置に表示させる。このようなメッセージの表示により、ユーザは、当該光ディスクは、これ以上書き換えすることができないことが分かる。
【００２２】
ＤＶＤ−ＲＷやＤＶＤ＋ＲＷあるいはＤＶＤ−ＲＡＭなどの書き換え可能な光ディスクでは、繰り返し記録することが可能であるが、光ピックアップから出射されるレーザ光の記録時のパワーが高すぎたり、繰り返し記録を行ったりすることで、光ディスクの状態が悪化し、最終的には光ディスクが物理破壊を引き起こし、記録・再生ができなくなってしまうが、この構成によれば、光ディスクに物理破壊が発生する前に、光ディスクの状態を事前に察知することができ、記録時の貴重な情報の喪失を防ぐことが可能になる。
【００２３】
請求項３の発明では、請求項２の発明において、前記システムコントローラは、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタを検出するジッタ検出手段と、前記ＲＦ信号をデジタルデータに変換した後に当該光ディスクのデータフォーマットに応じた信号復調処理とエラー訂正処理を行うデジタル信号処理部でのブロックエラー発生率を検出するブロックエラー発生率検出手段と、前記検出されたジッタまたは／およびブロックエラー発生率を参照して当該光ディスクの時間変化による記録特性を確認する記録特性確認手段と、前記確認された記録特性が予め定めた基準値を超えたか否かを判定する記録特性判定手段と、前記確認された記録特性が予め定めた基準値を超えたと判定された場合に、当該光ディスクは破壊される畏れがあることを警告するメッセージを表示手段および／または音声出力手段に出力させるメッセージ出力手段とを有する。
【００２４】
したがって、前記システムコントローラは、ジッタ検出処理、ブロックエラー発生率検出処理、記録特性確認処理、記録特性判定処理、およびメッセージ出力処理を実現でき、これにより、光ディスクに物理的破壊が発生する前に、警告メッセージを出力させる処理を行うことができる。
【発明の効果】
【００２５】
以上のように本発明によれば、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタを検出するジッタ検出手段と、前記ＲＦ信号をデジタルデータに変換した後に当該光ディスクのデータフォーマットに応じた信号復調処理とエラー訂正処理を行うデジタル信号処理部でのブロックエラー発生率を検出するブロックエラー発生率検出手段と、前記検出されたジッタまたは／およびブロックエラー発生率を参照して当該光ディスクの時間変化による記録特性を確認する記録特性確認手段と、前記確認された記録特性が予め定めた基準値を超えたか否かを判定する記録特性判定手段と、前記確認された記録特性が予め定めた基準値を超えたと判定された場合に、当該光ディスクは破壊される畏れがあることを警告するメッセージを表示手段および／または音声出力手段に出力させるメッセージ出力手段と、を有するシステムコントローラを備えたので、光ディスクに物理的破壊が発生する前に、光ディスクの状態を事前に察知することができ、記録時の貴重な情報の喪失を防ぐことが可能になる。
【００２６】
また、本発明によれば、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタの検出、および前記ＲＦ信号をデジタルデータに変換した後に当該光ディスクのデータフォーマットに応じた信号復調処理とエラー訂正処理を行うデジタル信号処理部でのブロックエラー発生率の検出を行い、前記検出されたジッタまたは／およびブロックエラー発生率を参照して当該光ディスクの時間変化による記録特性を確認し、前記確認された記録特性が予め定めた基準値を超えたと判定された場合に、当該光ディスクは破壊される畏れがあることを警告するメッセージを表示手段および／または音声出力手段に出力させるシステムコントローラを備えたので、光ディスクに物理的破壊が発生する前に、光ディスクの状態を事前に察知することができ、記録時の貴重な情報の喪失を防ぐことが可能になる。
【発明を実施するための最良の形態】
【００２７】
以下、添付図面を参照しつつ、本発明の実施の形態について説明する。図１は本発明の一実施形態に係る光ディスク記録再生装置の構成を示すブロック図である。
【００２８】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２９】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００３０】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００３１】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００３２】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００３３】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（エンコードデータ）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３４】
システムコントローラ２２は、本実施形態の特徴とする構成要素として、装填された光ディスクが書き換え可能な光ディスクであると判定され、当該光ディスクに対する情報の書き込みが開始されて情報の書き込みが光ピックアップにより実行されている時に、当該光ディスクの既記録領域から情報を読み出した光ピックアップの出力信号であるＲＦ信号のジッタを検出するジッタ検出手段２２１と、前記ＲＦ信号をデジタルデータに変換した後に当該光ディスクのデータフォーマットに応じた信号復調処理とエラー訂正処理を行うデジタル信号処理部８でのブロックエラー発生率を検出するブロックエラー発生率検出手段２２２と、前記検出されたジッタまたは／およびブロックエラー発生率を参照して当該光ディスクの時間変化による記録特性を確認する記録特性確認手段２２３と、前記確認された記録特性が予め定めた基準値を超えたか否かを判定する記録特性判定手段２２４と、前記確認された記録特性が予め定めた基準値を超えたと判定された場合に、当該光ディスクは破壊される畏れがあることを警告するメッセージをディスプレイ装置２０および／またはスピーカ１９に出力させるメッセージ出力手段２２５とを有する。
【００３５】
図２は本実施形態において書き換え可能な光ディスクに対するデータの書き換え回数とジッタとの関係の一例をグラフで示した説明図である。図２において、Ｌ１は書き換え回数が規格上１０００回保証されている場合の光ディスクにおける書き換え回数とＲＦ信号のジッタとの関係を示す特性ラインである。この特性ラインＬ１によれば、書き換え回数が１０００回を超えると、ジッタが急激に増加し、当該光ディスクは、書き換えが不可能であることを示している。また、Ｌ２は書き換え回数が１０００回までも達していないうちに、ジッタがｎ回でジッタの基準値ａを超えて、当該光ディスクは、書き換え回数がｎ回を超えると、書き換え不可能であることを示している特性ラインである。このような特性ラインＬ２になるのは、書き換え回数が１０００回に達する前に、光ディスクが物理的に破壊されるためである。物理的に破壊される要因は、ディスク構造、ディスク材質、記録レーザ光のパワーなどのよるものである。特に、記録レーザ光のパワーを強くすると、光ディスクは早く破壊されることになる。
【００３６】
図３は本実施形態において書き換え可能な光ディスクに対してデータの書き換え回数がｎ回のときに検出されるジッタの時間的変化の一例をグラフで示した説明図である。図３において、Ｌ３はジッタの時間変化に対する当該光ディスクの記録特性ラインを示し、この記録特性ラインＬ３で示す記録特性は、時間ｔ１でジッタの基準値ａを超えて急激に増加している。この記録特性ラインＬ３で示す記録特性が、ジッタの基準値ａを超えると、当該光ディスクは、記録ができなくなるか、または記録ができても再生ができないディスク状態である物理的破壊を起こす畏れがあることが分かる。
【００３７】
図４は本実施形態において書き換え可能な光ディスクに対してデータの書き換え回数がｎ回のときに検出されるＢＬＥＲ（ブロックエラー発生率）の時間的変化の一例をグラフで示した説明図である。図４において、Ｌ４はＢＬＥＲの時間変化に対する記録特性ラインであり、この記録特性ラインＬ４で示す記録特性は、時間ｔ２でＢＬＥＲの基準値ｂを超えて急激に増加している。この記録特性ラインＬ４で示す記録特性は、ＢＬＥＲの基準値ｂを超えると、当該光ディスクは、記録ができなくなるか、または記録ができても再生ができないディスク状態である物理的破壊を起こす畏れがあることが分かる。
【００３８】
図５は本実施形態においてディスク状態を検出する処理を説明するためのフローチャートである。このフローチャートおよび図１〜図４を参照してディスク状態を検出する処理について説明する。
【００３９】
先ず、光ディスク１が装填されると、システムコントローラ２２は、光ディスク１の装填を検知し（ステップＳ１）、光ディスク１を少し回転させると共に光ピックアップ２を駆動させ、光ディスク１の制御データ領域からディスク情報を読み出す処理である所謂マウント処理を行って（ステップＳ２）、ディスク情報から光ディスク１は書き換え系ディスク（書き換え可能な光ディスク）であるか否かを判定する（ステップＳ３）。
【００４０】
光ディスク１が書き換え系ディスクでないと判定された場合は、本処理は終了するが、光ディスク１が書き換え系ディスクであると判定された場合は、リモコン２１の記録キーが押下されると、システムコントローラ２２は、サーボ制御部４およびモータ駆動回路３４を介してスピンドルモータ１を回転させることにより光ディスク１を回転させ、また、サーボ制御部４およびスレッド３を介して光ピックアップ２を光ディスク１の目的とする半径位置に移動させると共に、サーボ制御部４を介して図示しないアクチュエータを駆動させることにより光ピックアップ２に内蔵の対物レンズを光ディスク１の目的とする位置にフォーカスオンさせる。
【００４１】
そして、光ディスク１に書き込む情報が、例えば、アンテナ２８で受信してチューナ２９で選局されたテレビ番組であるとすると、チューナ２９からの映像音声信号は、前述したような動作を行うＡ／Ｄ変換回路３０、ＭＰＥＧエンコーダ３１、ＲＡＭ３２、ＡＴＡＰＩ３３、記録データ変調回路２５、およびレーザ変調回路２６により処理され、光ピックアップ２を介して光ディスク１に対する書き込みが開始される（ステップＳ４）。なお、この書き込み処理と以下で述べる読み出し処理とは、システムコントローラ２２が光ピックアップ２を所定時間間隔で書き込み動作にしたり読み出し動作にしたりすることにより可能になる。
【００４２】
このような処理により書き込みが開始されると、光ディスク１に情報が記録され、これにより、光ディスク１の記録領域には既に情報が記録された既記録領域が存在することになる。したがって、システムコントローラ２２は、光ピックアップ２を書き込み動作から読み出し動作に変更させ、これにより、光ピックアップ２は、光ディスク１の既記録領域の情報を読み出すと、システムコントローラ２２は、既記録領域の情報を読み出したことを検出し（ステップＳ５）、システムコントローラ２２のジッタ検出手段２２１は、光ディスク１の既記録領域の情報を読み出した光ピックアップ２からの読取信号であるＲＦ信号を増幅するＲＦアンプ６の出力信号であるＲＦ信号を入力し、このＲＦ信号のジッタを検出すると共に、ブロックエラー発生率検出手段２２２は、ＲＦアンプ６の出力信号であるＲＦ信号をデジタルデータに変換した後に当該光ディスク１のデータフォーマットに対応した信号復調処理とエラー訂正処理を行うデジタル信号処理部８でのＢＬＥＲ（ブロックエラー発生率）を検出する（ステップＳ６）。
【００４３】
前記検出されたジッタおよびＢＬＥＲは、光ディスク１のリードイン内のリザーブ領域に格納され、次に、システムコントローラ２２の記録特性確認手段２２３は、前記リザーブ領域に格納されたジッタまたは／およびＢＬＥＲを参照して当該光ディスク１の時間変化による記録特性を確認する（ステップＳ７）。
【００４４】
ジッタの時間変化による記録特性であれば、例えば、図３のラインＬ３で示すような記録特性を確認し、ＢＬＥＲの時間変化による記録特性であれば、図４のラインＬ４で示すような記録特性を確認する。ジッタの確認だけでなく、ＢＬＥＲの確認も行うことにより、当該光ディスク１の記録データは、どれだけ誤り訂正が行われているかも検知することができ、ディスク状態が分かり易くなる。
【００４５】
通常、ディスク破壊前は、レーザパワーの影響によりジッタやブロックエラー発生率が急激に悪化するので、光ディスク１のリードイン内のリザーブ領域に格納した過去のジッタやブロックエラー発生率のデータもディスク状態の判断材料とする。
【００４６】
この後、システムコントローラ２２の記録特性判定手段２２４は、前記確認された記録特性が予め定めた基準値を超えたか否かを判定する（ステップＳ８）。即ち、システムコントローラ２２の記録特性判定手段２２４は、ジッタの時間変化による記録特性が基準値を超えたか否か、または／およびＢＬＥＲの時間変化による記録特性が基準値を超えたか否かを判定する。例えば、図３に示すように、ジッタの時間変化による記録特性を示すラインＬ３が時間ｔ１で基準値ａを越えたか否かを判定し、また、図４に示すように、ＢＬＥＲの時間変化による記録特性を示すラインＬ４が時間ｔ２で基準値ｂを越えたか否かを判定する。
【００４７】
ジッタの時間変化による記録特性（図３のラインＬ３）が基準値ａを超えていなく、かつＢＬＥＲの時間変化による記録特性（図４のラインＬ４）が基準値ｂを超えていないと判定された場合は、通常の記録動作が終了するまで、ステップＳ５〜ステップＳ９の処理を繰り返すが、ジッタの時間変化による記録特性（図３のラインＬ３）が基準値ａを超えていると、または／およびＢＬＥＲの時間変化による記録特性（図４のラインＬ４）が基準値ｂを超えていると判定された場合は、システムコントローラ２２のメッセージ出力手段２２５は、当該光ディスク１は破壊される畏れがあることをユーザに警告するメッセージ（例えば、「このディスクは、これ以上の書き換えはディスク破壊を起こす畏れがありますので記録できません。」というようなメッセージをＯＳＤ（オン・スクリーン・ディスプレイ）処理によりディスプレイ装置２０または本体操作部の表示部（図示せず）に表示させる（ステップＳ１０）。
【００４８】
なお、メッセージをディスプレイ装置２０または本体操作部の表示部に表示させる代わりに、スピーカ１９で音声化して出力させても良い。また、メッセージをディスプレイ装置２０または本体操作部の表示部に表示させると共に、スピーカ１９でも音声化して出力させても良い。
【００４９】
このようなメッセージの出力により、ユーザは、当該光ディスクは、これ以上記録することができないことが分かる。なお、書き換え可能な光ディスクは、レーザ光の最適パワーの幅が広いので、低パワーのレーザ光で記録すると、ディスクのダメージが少なくなる。したがって、ジッタが少し悪くなっても、レーザパワーを低パワーに変更して低パワーのレーザ光で記録すれば、当該光ディスクが少しダメージを受けていても、更に記録することができる場合もある。
【００５０】
前述したように、ＤＶＤ−ＲＷやＤＶＤ＋ＲＷあるいはＤＶＤ−ＲＡＭなどの書き換え可能な光ディスクでは、繰り返し記録することが可能であるが、規格上１０００回のＤＯＷ（上書き）が保証されているが、光ピックアップ２から出射されるレーザ光の記録時のパワーが強すぎたりするような記録状況であれば、１０００回に達する前に光ディスクの状態が悪化し、最終的には光ディスクが物理的な破壊を引き起こすことがある。光ディスクはデジタル情報として記録されているので、物理的な破壊を引き起こす直前までは、再生映像には劣化などが発生せず、ユーザ側でディスク状態を判断するのが困難である。
【００５１】
そこで、本実施形態では、光ディスクに情報の記録を行った毎にＲＦ信号のジッタやブロックエラー発生率を確認し、その光ディスクでの繰り返し記録に対する記録状況のデータ（記録特性のデータ）を構築する。その記録特性データは、光ディスクのリードイン（Lead-in）内のリザーブ領域に格納し、その記録特性データよりディスク状態を判断し、光ディスクに物理的な破壊が発生する前に事前に察知し、ユーザに知らせるようにしている。したがって、本実施形態では、光ディスクに物理的破壊が発生する前に、光ディスクの状態を事前に察知することができ、記録時の貴重な情報の喪失を防ぐことが可能になる。
【産業上の利用可能性】
【００５２】
光ディスクの物理的破壊が発生する前に事前にユーザに察知させるための処理は、ＤＶＤ−ＲＷやＤＶＤ＋ＲＷあるいはＤＶＤ−ＲＡＭなどの書き換え可能な光ディスクに対して情報の記録／再生を行えるＤＶＤレコーダ（光ディスク記録再生装置）に利用できる。
【図面の簡単な説明】
【００５３】
【図１】本発明の一実施形態に係る光ディスク記録再生装置の構成を示すブロック図である。
【図２】前記実施形態において書き換え可能な光ディスクに対するデータの書き換え回数とジッタとの関係の一例をグラフで示した説明図である。
【図３】前記実施形態において書き換え可能な光ディスクに対してデータの書き換え回数がｎ回のときに検出されるジッタの時間的変化の一例をグラフで示した説明図である。
【図４】前記実施形態において書き換え可能な光ディスクに対してデータの書き換え回数がｎ回のときに検出されるＢＬＥＲ（ブロックエラー発生率）の時間的変化の一例をグラフで示した説明図である。
【図５】前記実施形態においてディスク状態を検出する処理を説明するためのフローチャートである。
【符号の説明】
【００５４】
１    光ディスク
２    光ピックアップ
８    デジタル信号処理部
１９    スピーカ（音声出力手段）
２０    ディスプレイ装置（表示手段）
２２    システムコントローラ
２２１    ジッタ検出手段
２２２    ブロックエラー発生率検出手段
２２３    記録特性確認手段
２２４    記録特性判定手段
２２５    メッセージ出力手段
【図１】
2007213646.tif 000003
【図２】
2007213646.tif 000004
【図３】
2007213646.tif 000005
【図４】
2007213646.tif 000006
【図５】
2007213646.tif 000007